(57)【要約】【課題】くくり罠において、踏板の可動および該踏板の可動によるくくり輪の筒状体からの外し作動を、確実かつ感度良く行えるようにする。【解決手段】くくり輪３が外嵌する筒状体４に、切欠き溝４ａと、踏板６の切欠き溝近接部位を下方から支持する支点軸部材７とを設ける一方、踏板６に、切欠き溝４ａを通って筒状体４の筒外に突出することによりくくり輪３の下側にまで延出してくくり輪３と切欠き溝４ａの溝底とのあいだに挟持される延出部６ａを設けて、動物の足が踏み込まれた負荷を受けて踏板６の反延出部側が支点軸部材７を基準として下動することで、延出部６ａが上動してくくり輪３の筒状体４からの外し作動をするように構成した。【選択図】図５
0003220691.tif 000002
【実用新案登録請求の範囲】
【請求項１】
ワイヤに連続するようにして設けられていて該ワイヤを引き込むことで締め込み可能なくくり輪と、該くくり輪が外周面に外嵌される筒状体と、くくり輪を締め込むための弾機と、筒状体内に内嵌され、動物の足が踏み込まれたことの負荷を受けて可動する踏板とを備え、
前記くくり輪が、筒状体から外れたことに基づき弾機の付勢力を受けて締め込まれることで前記踏板を踏み込んだ動物の足をくくって捕獲するように構成したくくり罠であって、
前記筒状体に、
・溝底がくくり輪の外嵌位置よりも深くなるように筒状体上部に形成された切欠き溝と、
・該切欠き溝に近接するよう筒状体の内部に設けられていて筒状体に内嵌された踏板の切欠き溝近接部位を下方から支持するとともに踏板可動時の支点軸になる支点軸部材と
を設ける一方、
踏板には、前記切欠き溝を通って筒状体から筒外に突出することにより筒状体に外嵌しているくくり輪の下側にまで延出して該くくり輪と切欠き溝の溝底とのあいだに挟持される延出部を設け、
該延出部が挟持されることで水平状の待機姿勢に維持される踏板が、動物の足が踏み込まれた負荷を受けることで前記支点軸部材を基準として反延出部側が下動し、これにより延出部が上動してくくり輪の筒状体からの外し作動をするように構成したことを特徴とするくくり罠。
【請求項２】
筒状体は円筒体であり、支点軸部材は、切欠き溝の幅中心を通る直径線に対して線対称状でかつ円筒中心よりも切欠き溝側に設けられていて踏板を支点軸の軸方向に向けて幅広に支持する一方、延出部は、支点軸部材に比して幅狭に形成されることを特徴とする請求項１記載のくくり罠。
【請求項３】
くくり輪の先端部に、ワイヤのくくり輪との連続部位が移動自在に貫通する通し輪を形成するととともに、該通し輪の内周側に、貫通方向中間部から両端側に至るほど大径となった筒形状の貫通部材を取付けたことを特徴とする請求項１または２記載のくくり罠。
【請求項４】
貫通部材は、線条体を螺旋状に曲げ加工することで形成されていることを特徴とする請求項３記載のくくり罠。
【請求項５】
弾機は、ワイヤに遊嵌状に外嵌するコイル弾機であり、ワイヤには、くくり輪の締め付け力を調整するべくワイヤの基端側部位に位置調整自在に設けられていて弾機基端部の支持をする基端側弾機支持部材と、弾機先端部の支持をする先端側弾機支持部材とが共にワイヤに外嵌する状態で設けられていることを特徴とする請求項１乃至４の何れか１記載のくくり罠。
【請求項６】
先端側弾機支持部材は、捕獲現場にセットされた筒状体に隣接する状態でセットされるとともに、先端側弾機支持部材の先端部には、筒状体に外嵌されたくくり輪から連続するワイヤの向きを筒状体に隣接する先端側弾機支持部材内に湾曲状にガイドするガイド部が形成されていることを特徴とする請求項５記載のくくり罠。
【請求項７】
筒状体の切欠き溝に対向する部位に、先端側弾機支持部材の先端側が臨む凹溝部が形成されていることを特徴とする請求項６記載のくくり罠。
【請求項８】
踏板の反延出部側を下方から支持するととともに、動物の足が踏み込まれた負荷を踏板を介して受けて破断することで前記支点軸部材を基準とする踏板下動の感度を調整する調整部材を設けたことを特徴とする請求項１乃至７の何れか１記載のくくり罠。
【請求項９】
調整部材は、筒状体に貫通状に支持されるものであり、該調整部材自体の強度の変更、および／または本数の変更により破断強度の調整ができるように構成されていることを特徴とする請求項８記載のくくり罠。
【考案の詳細な説明】
【技術分野】
【０００１】
本考案は、猪、鹿、キョン等の野生動物を捕獲するため用いられるくくり罠の技術分野に関するものである。
【背景技術】
【０００２】
今日、猪、鹿、キョン等の野生動物（害獣）が出没して田畑や山林等を荒らす被害が各地で頻発しており、その対策として、これら野生動物を捕獲することが試みられているが、この種の動物を捕獲するための道具としてくくり罠（括り罠）が簡便で安価なものとして広く採用されている。
このようなくくり罠は、一般的には、長尺状のワイヤの先端部に、締め込み可能にしたくくり輪を一連状に設け、該くくり輪に動物の足が侵入した（入り込んだ）ことに感応してくくり輪を弾機付勢力を受けて締め込み作動させることで足をくくって逃走できないようにし、これによって動物を捕獲できる構成にしている。
この様なくくり罠の構造として、くくり輪が外周面に弾機付勢力に抗して外嵌される内筒体を、外筒体に対して上下移動自在に内嵌した構成にし、そして内筒体に設けた踏板（底板）に動物が足を踏み込むことで該内筒体が外筒体に対して下動することになって、内筒体に外嵌していたくくり輪が外筒体の上端縁によって上方に押されて内筒体から外れ、これによってくくり輪が弾機付勢力を受けて締め込まれて前記踏み込まれた足をくくるようにしたもの（例えば特許文献１参照。）や、くくり輪が外周面に弾機付勢力に抗して外嵌する筒状体をＶ字形に折曲する構造にし、そして動物の足が筒状体の筒内に配した踏板を踏み込んだことに感応して筒状体をＶ字形に折曲させることによりくくり輪が筒状体から外れることになって締めこまれて足をくくるようにしたもの（例えば特許文献２参照。）等が知られている。
【先行技術文献】
【特許文献】
【０００３】
【特許文献１】実用新案登録第３２１０３５１号公報
【特許文献２】特許第６３５５６６３号公報
【考案の概要】
【考案が解決しようとする課題】
【０００４】
ところが前記特許文献１のものは、動物の足の踏み込み位置によっては、内筒体が外筒体に対して同心状に下動せず、外筒体に引っ掛かった状態になって円滑な下動が損なわれることがあり、この対策として、内筒体と外筒体とのあいだの隙間を大きくすると、内筒体が下動する際に、くくり輪が内筒体と外筒体とのあいだの隙間に入り込んでしまってくくり輪が内筒体から円滑に外れないことがあり、このようになると、踏み込んだ足をくくれないことになって、動物を逃がしてしまうことがある。
また特許文献２のものは、くくり輪が外嵌する筒状体自体がＶ字形に折曲する構成になっているとともに、筒状体に外嵌されているくくり輪には弾機の付勢力が働いているため、動物の足が踏板を踏んでいなくても僅かな負荷で筒状体が折曲してくくり輪が締まってしまう等の誤作動が発生しやすいという問題があり、これらに本考案の解決すべき課題がある。
【課題を解決するための手段】
【０００５】
本考案は、上記の如き実情に鑑みこれらの課題を解決することを目的として創作されたものであって、請求項１の考案は、ワイヤに連続するようにして設けられていて該ワイヤを引き込むことで締め込み可能なくくり輪と、該くくり輪が外周面に外嵌される筒状体と、くくり輪を締め込むための弾機と、筒状体内に内嵌され、動物の足が踏み込まれたことの負荷を受けて可動する踏板とを備え、前記くくり輪が、筒状体から外れたことに基づき弾機の付勢力を受けて締め込まれることで前記踏板を踏み込んだ動物の足をくくって捕獲するように構成したくくり罠であって、前記筒状体に、溝底がくくり輪の外嵌位置よりも深くなるように筒状体上部に形成された切欠き溝と、該切欠き溝に近接するよう筒状体の内部に設けられていて筒状体に内嵌された踏板の切欠き溝近接部位を下方から支持するとともに踏板可動時の支点軸になる支点軸部材とを設ける一方、踏板には、前記切欠き溝を通って筒状体から筒外に突出することにより筒状体に外嵌しているくくり輪の下側にまで延出して該くくり輪と切欠き溝の溝底とのあいだに挟持される延出部を設け、該延出部が挟持されることで水平状の待機姿勢に維持される踏板が、動物の足が踏み込まれた負荷を受けることで前記支点軸部材を基準として反延出部側が下動し、これにより延出部が上動してくくり輪の筒状体からの外し作動をするように構成したことを特徴とするくくり罠である。
請求項２の考案は、筒状体は円筒体であり、支点軸部材は、切欠き溝の幅中心を通る直径線に対して線対称状でかつ円筒中心よりも切欠き溝側に設けられていて踏板を支点軸の軸方向に向けて幅広に支持する一方、延出部は、支点軸部材に比して幅狭に形成されることを特徴とする請求項１記載のくくり罠である。
請求項３の考案は、くくり輪の先端部に、ワイヤのくくり輪との連続部位が移動自在に貫通する通し輪を形成するととともに、該通し輪の内周側に、貫通方向中間部から両端側に至るほど大径となった筒形状の貫通部材を取付けたことを特徴とする請求項１または２記載のくくり罠である。
請求項４の考案は、貫通部材は、線条体を螺旋状に曲げ加工することで形成されていることを特徴とする請求項３記載のくくり罠である。
請求項５の考案は、弾機は、ワイヤに遊嵌状に外嵌するコイル弾機であり、ワイヤには、くくり輪の締め付け力を調整するべくワイヤの基端側部位に位置調整自在に設けられていて弾機基端部の支持をする基端側弾機支持部材と、弾機先端部の支持をする先端側弾機支持部材とが共にワイヤに外嵌する状態で設けられていることを特徴とする請求項１乃至４の何れか１記載のくくり罠である。
請求項６の考案は、先端側弾機支持部材は、捕獲現場にセットされた筒状体に隣接する状態でセットされるとともに、先端側弾機支持部材の先端部には、筒状体に外嵌されたくくり輪から連続するワイヤの向きを筒状体に隣接する先端側弾機支持部材内に湾曲状にガイドするガイド部が形成されていることを特徴とする請求項５記載のくくり罠である。
請求項７の考案は、筒状体の切欠き溝に対向する部位に、先端側弾機支持部材の先端側が臨む凹溝部が形成されていることを特徴とする請求項６記載のくくり罠である。
請求項８の考案は、踏板の反延出部側を下方から支持するととともに、動物の足が踏み込まれた負荷を踏板を介して受けて破断することで前記支点軸部材を基準とする踏板下動の感度を調整する調整部材を設けたことを特徴とする請求項１乃至７の何れか１記載のくくり罠である。
請求項９の考案は、調整部材は、筒状体に貫通状に支持されるものであり、該調整部材自体の強度の変更、および／または本数の変更により破断強度の調整ができるように構成されていることを特徴とする請求項８記載のくくり罠である。
【考案の効果】
【０００６】
請求項１の考案とすることにより、踏板の可動および該踏板の可動によるくくり輪の筒状体からの外し作動を、確実かつ感度良く行うことができる。
請求項２の考案とすることにより、支点軸部材を基準とする踏板の可動を、安定した状態で行うことができるとともに、延出部にはテコの原理が作用して筒状体に外嵌されたくくり輪をピンポイント状態で強力に押し上げることになって、くくり輪を締め込み側に付勢する弾機の付勢力を強くしても、くくり輪を確実かつ素早く押し上げて筒状体から外すことができる。
請求項３の考案とすることにより、くくり輪の締め込み時に通し輪内を移動するワイヤの摩擦を低減できて、くくり輪の締め込みを可及的に迅速に行うことができる。
請求項４の考案とすることにより、貫通部材を、長時間弾機の付勢力を受けても殆ど変形することないものとすることができる。
請求項５の考案とすることにより、くくり輪の締め付け力の調整を、基端側弾機支持部材の位置調整によって簡単に行うことができる。
請求項６の考案とすることにより、筒状体に外嵌されたくくり輪から連続するワイヤを、筒状体に隣接する状態でセットされる先端側弾機支持部材に収まり良く収納できる。
請求項７の考案とすることにより、筒状体に隣接してセットされる先端側弾機支持部材を、該先端側弾機支持部材の先端部が筒状体に干渉しない状態でセットできる。
請求項８の考案とすることにより、捕獲する動物の種類等に応じて調整部材を設けることで、踏板の下動感度を簡単に調整できる
請求項９の考案とすることにより、踏板の下動感度を細かく調整できる。
【図面の簡単な説明】
【０００７】
【図１】くくり罠の斜視図である。
【図２】捕獲現場にセットされたくくり罠を示す図である。
【図３】（Ａ）は筒状体の平面図、（Ｂ）はくくり罠の要部平面図である。
【図４】くくり罠の要部斜視図である。
【図５】（Ａ）、（Ｂ）、（Ｃ）はくくり罠の作動を示す図である。
【図６】（Ａ）はくくり輪部分の平面図、（Ｂ）はくくり輪先端部の通し輪部分を示す図、（Ｃ）は（Ｂ）の断面図である。
【図７】（Ａ）は先端側弾機支持部材の断面図、（Ｂ）は基端側弾機支持部材の断面図である。
【考案を実施するための形態】
【０００８】
以下、本考案の実施の形態について、図面に基づいて説明する。図面において、１は猪、鹿、キョン等の動物（害獣）を捕獲するためのくくり罠であって、該くくり罠１は、ワイヤ２、該ワイヤ２に連続するようにして設けられていてワイヤ２を引き込むことで締め込み可能なくくり輪３、該くくり輪３が外周面に外嵌される筒状体４、くくり輪３を締め込むための弾機５、筒状体４内に内嵌され、動物の足が踏み込まれたことの負荷を受けて可動する踏板６等の部材を備えて構成されており、そして、後述するように、踏板６の可動に基づいてくくり輪３が筒状体４から外れ、該筒状体４から外れたくくり輪３が弾機５の付勢力を受けて締め込まれることで、前記踏板６を踏み込んだ動物の足をくくって捕獲するように構成されている。
【０００９】
前記筒状体４は、捕獲現場に埋め込まれる円筒形状のものであって、該筒状体４の上部には、後述する踏板６の延出部６ａが通る切欠き溝４ａが形成されている。そして、この筒状体４の外周面には、弾機５により締め込み側に付勢された状態のくくり輪３が外嵌されるが、前記切欠き溝４ａは、その溝底がくくり輪３の外嵌位置よりも僅かに深くなるように形成されている。
【００１０】
さらに、前記筒状体４の内部には、前記切欠き溝４ａに近接する部位に、筒状体４に内嵌された踏板６の切欠き溝４ａ近接部位を下方から支持する支点軸部材７が設けられている。該支点軸部材７は、面方向が縦方向を向く薄板状のものであって、その両端部に折曲形成された係止片７ａが、切欠き溝４ａの周回り方向両側に形成された一対の切込み４ｂに嵌入係止されていて、両切込み４ｂ間に架設される状態で筒状体４に取付けられているが、この場合に、支点軸部材７は、切欠き溝４ａの幅中心を通る直径線に対して線対称状でかつ筒状体４の中心よりも切欠き溝４ａ側に位置するように設けられているとともに、支点軸部材７の上端位置は、切欠き溝４ａの溝底と略同高さ位置となるように設定されている。そして、支点軸部材７は、後述するように、動物の足が踏み込まれたことの負荷を受けて可動する踏板６の支点軸となるが、この場合に、両切込み４ｂ間に架設された状態の支点軸部材７は、踏板６を支点軸の軸方向に向けて幅広に支持するようになっている。
【００１１】
一方、前記踏板６は、その外径が筒状体４の内径よりも少し小さく設定された円形板状のものであって、前記支点軸部材７に下方から支持される状態で筒状体４に内嵌されるが、該踏板６には、前記切欠き溝４ａを通って筒状体４から筒外に突出することにより筒状体４に外嵌しているくくり輪３の下側にまで延出する幅狭の延出部６ａが設けられている。そして、踏板６は、延出部６ａがくくり輪３と切欠き溝４ａの溝底とのあいだに挟持され、かつ、踏板６の切欠き溝４ａ近接部位が前記支点軸部材７に下方から支持されることにより水平状の待機姿勢に維持されようになっているとともに、該待機姿勢の踏板６は、動物の足が踏み込まれた負荷を受けることで支点軸部材７を基準として反延出部側（反切込み溝４ａ側）が下動し、これにより延出部６ａが上動することでくくり輪３を押し上げて該くくり輪３を筒状体４から外すようになっている。
【００１２】
また、８は必要に応じて設けられる調整部材であって、該調整部材８は、筒状体４の反切欠き溝側に穿設された支持孔４ｃに貫通状に差し込まれる棒状のものであり、例えば爪楊枝のように、ある程度の力が作用すると破断する材質のものを用いて形成されている。そして、該調整部材８は、踏板６の反延出部側を下方から支持するとともに、動物の足が踏み込まれた負荷を踏板６を介して受けて破断することで、前記支点軸部材７を基準とする踏板６の下動感度の調整をするようになっている。つまり、調整部材８が設けられていない状態では、踏板６の反延出部側を支持する部材がないため、踏板６は、くくり輪３が踏板６を水平状の待機姿勢に維持する力よりも大きな力が作用することにより支点軸部材７を基準として下動するが、調整部材８が設けられることにより、上記待機姿勢に維持する力と調整部材８を破断する力とを足した力よりも大きな力が作用しないと下動しないことになって、踏板６の下動感度が鈍くなる。而して、捕獲したい動物の種類等によって必要に応じて調整部材８を設けることによって、踏板６の下動感度を調整できるようになっている。
【００１３】
ここで、前記調整部材８を支持するべく筒状体４に穿設される支持孔４ｃは、本実施の形態では、切欠き溝４ａに対向する部位に形成された後述の凹溝部４ｄを挟んだ周回り方向両側に設けられている。また、調整部材８は、調整部材８自体の強度の変更、および／または支持孔４ｃに支持される調整部材８の本数の変更により破断強度の調整ができ、これにより、踏板６の下動感度を細かく調整できるようになっている。
【００１４】
一方、前記くくり輪３の先端部には、ワイヤ２のくくり輪３との連続部位が移動自在に貫通する小径の通し輪３ａが形成されているが、該通し輪３ａの内周側には、貫通方向中間部から両端側に至るほど大径となった筒形状の貫通部材９が取付けられている。該貫通部材９は、線条体を螺旋状に曲げ加工することで形成されるものであって、長時間弾機５の付勢力を受けても殆ど変形することなく筒形状を維持して通し輪３ａ内を移動するワイヤ２の摩擦を低減し、これによりくくり輪３の締め込みを可及的に迅速に行えるようになっている。さらに、貫通部材９の筒形状が貫通方向中間部から両端側に至るほど大径となっているため、貫通部材９を貫通したワイヤ２を何れの方向にもスムーズに湾曲させることかできるようになっている。
【００１５】
さらに、前記くくり輪３には、くくり輪３の締め込み過ぎを規制するための締め付け防止金具１０が位置調整自在に設けられている。本実施の形態では、この締め付け防止金具１０を小さくすることで、締め込まれた状態でのくくり輪３の径を小さくできるようにしており、これにより、キョンのような足首の細い動物にも対応できるようになっている。
【００１６】
また、前記くくり輪３を締め込むための弾機５は、本実施の形態ではワイヤ２に遊嵌状に外嵌するコイル弾機であって、該弾機５の先端部（くくり輪３側）および基端部（反くくり輪３側）は、ワイヤ２の先端側、基端側に移動自在に外嵌された先端側弾機支持部材１１、基端側弾機支持部材１２によってそれぞれ支持されるように構成されている。
【００１７】
前記先端側弾機支持部材１１は、弾機５が移動自在に内嵌される内径を有した円筒管状のものであって、その先端部には、筒状体４に外嵌されたくくり輪３から連続するワイヤ２の向きを先端側弾機支持部材１１の円筒管内に湾曲状にガイドするガイド部１１ａが形成されているとともに、該ガイド部１１ａの先端側開口をワイヤ２が貫通する状態で塞ぐ当て金具１１ｂを備えている。さらに、先端側弾機支持部材１１の内部には、弾機５の先端部がガイド部１１ａに入り込まない状態で弾機５の先端部を受ける先端側弾機受け部１１ｃが設けられている。そして、この先端側弾機支持部材１１は、捕獲現場にセットされた筒状体４に隣接する状態で縦姿勢にセットされるが、この場合に、ガイド部１１ａの先端側が、前記筒状体４の切欠き溝４ａに対向する部位に形成された凹溝部４ｄに臨むようにセットされるとともに、ガイド部１１ａの先端側開口を塞ぐ当て金具１１ｂに、くくり輪３先端部の通し輪３ａに内嵌された前記貫通部材９が当接するようになっている。
【００１８】
さらに、前記先端側弾機支持部材１１には、くくり罠１を捕獲現場にセットする場合に、弾機５の付勢力を受けてくくり輪３が締め込まれないようにするための仮保持ピン１４が着脱自在に設けられている。該仮保持ピン１４は、先端側弾機支持部材１１に穿設されたネジ孔を通して先端側弾機支持部材１１の外側から内側にねじ込まれるものであって、該ねじ込まれた仮保持ピン１４によって先端側弾機支持部材１１は移動が規制された仮保持状態となり、これによってくくり輪３の意図しない状態での締め込みが防止されるようになっている。
【００１９】
また、基端側弾機支持部材１２は、弾機５が移動自在に内嵌される内径を有した円筒管状のものであって、その基端部には、ワイヤ２が貫通する状態で弾機５の基端部を受ける基端側弾機受け部１２ａが一体形成されている。さらに、該基端側弾機支持部材１２の基端側には、基端側弾機支持部材１２の基端側への移動を規制するストッパ１５がワイヤ２に位置調整自在に止着されており、該ストッパ１５の止着位置を調整することで基端側弾機支持部材１２の位置調整を行えるようになっているとともに、該基端側弾機支持部材１２の位置調整を行うことでくくり輪３の締め付け力を調整できるようになっている。尚、図中、１３は基端側弾機支持部材１２とストッパ１５とのあいだに介装されるワッシャである。
【００２０】
さらに、前記ワイヤ２のストッパ１５止着部位よりも基端側には、ヨリモドシ１６を介して保留用ワイヤ１７が接続されている。該保留用ワイヤ１７の基端側（反ヨリモドシ１６側）には通し輪１７ａが形成されており、該通し輪１７ａを、シャックル等の連結金具１８を介して保留用ワイヤ１７の中間部に移動自在に連結することで、木や杭等の固定物に掛け回されるループ１７ｂを形成することができるようになっている。
【００２１】
次いで、くくり罠１を捕獲現場にセットする手順について説明する。
まず、セット前の段階で、筒状体４に支点軸部材７を取り付けておく。また、先端側にくくり輪３が設けられたワイヤ２に、予め、先端側弾機支持部材１１、弾機５、基端側弾機支持部材１２、ストッパ１５を外嵌せしめておくとともに、該ワイヤ２の基端側に、ヨリモドシ１６を介して保留用ワイヤ１７を連結しておく。さらに、捕獲する動物に応じて、締付け防止金具１０をくくり輪３の所望の位置に止着しておく。
そして、くくり罠１をセットする場合には、まず、捕獲現場に、前記筒状体４や先端側弾機支持部材１１を埋めるための穴を掘る。一方、穴に埋める前の段階で、筒状体４の外周面にくくり輪３を外嵌するが、このとき、くくり輪３に連続するワイヤ２に外嵌された先端側弾機支持部材１１を筒状体４に対して縦姿勢とし、該縦姿勢の先端側弾機支持部材１１のガイド部１１ａの先端側が筒状体４に形成の凹溝部４ｄに臨むようにして、ガイド部１１ａの先端側開口を塞ぐ当て金具１１ｂに、くくり輪３先端部の通し輪３ａに内嵌された貫通部材９を当接させる。次いで、先端側弾機支持部材１１の基端側から弾機５の先端側を挿入して先端側弾機受け部１１ｃに当接させ、この状態で仮保持ピン１４を先端側弾機支持部材１１にねじ込んでくくり輪３の締め込みを規制する。次いで、弾機５の基端側を基端側弾機支持部材１２に挿入した後、ストッパ１５で基端側弾機支持部材１２の位置調整をしてくくり輪３の締付け力を調整する。しかる後、掘った穴に筒状体４および先端側弾機支持部材１１を入れる。次いで、必要に応じて、筒状体４の支持孔４ｃに調整部材８を差し込んで、踏板６の下動感度の調整を行う。さらに、筒状体４の周囲の土を固めてから、筒状体４に踏板６を入れ、該踏板６の延出部６ａを、部筒状体４の切欠き溝４ａの溝底と筒状体４に外嵌されたくくり輪３とのあいだに差し込む。これにより踏板６は、延出部６ａが切欠き溝４ａの溝底とくくり輪３とのあいだに挟持され、かつ、切欠き溝４ａ近接部位が下方から支点軸部材７に支持された水平状の待機姿勢になる。しかる後、先端側弾機支持部材１１から仮保持ピン１４を抜いて、くくり輪３に弾機５の付勢力が作用する状態にしてから、筒状体４および先端側弾機支持部材１１に土を被せる。最後に、保留用ワイヤ１７の基端側を木や杭等の固定物に掛け回すことで、くくり罠１は、踏板６を動物が踏み込むことで発動する状態にセットされる。
【００２２】
叙述の如く構成された本考案の実施の形態において、くくり罠１は、ワイヤ２に連続するようにして設けられていて締め込み可能なくくり輪３と、くくり輪３が外周面に外嵌される筒状体４と、くくり輪３を締め込むための弾機５と、筒状体４内に内嵌され、動物の足が踏み込まれたことの負荷を受けて可動する踏板６等を備えて構成されており、そして、筒状体４から外れたくくり輪３が弾機５の付勢力を受けて締め込まれることで、踏板６を踏み込んだ動物の足をくくって捕獲するように構成されたものであるが、このものにおいて、前記筒状体４には、溝底がくくり輪３の外嵌位置よりも深くなるように筒状体４上部に形成された切欠き溝４ａと、該切欠き溝４ａに近接するよう筒状体４の内部に設けられていて、筒状体４に内嵌された踏板６の切欠き溝４ａ近接部位を下方から支持するとともに踏板６可動時の支点軸になる支点軸部材７とが設けられる一方、踏板６には、切欠き溝４ａを通って筒状体４から筒外に突出することにより筒状体４に外嵌しているくくり輪３の下側にまで延出して該くくり輪３と切欠き溝４ａの溝底とのあいだに挟持される延出部６ａが設けられている。そして、該延出部６ａが挟持されることで水平状の待機姿勢に維持された踏板６は、動物の足が踏み込まれた負荷を受けることで前記支点軸部材７を基準として反延出部側が下動し、これにより延出部６ａが上動してくくり輪３を押し上げることでくくり輪３は筒状体４から外れることになる。
【００２３】
このように、本実施の形態にあっては、踏板６は、動物に踏み込まれることで、切欠き溝４ａの近接部位に設けられた支点軸部材７を基準として反延出部側が下動し、これにより延出部６ａが上動して筒状体４に外嵌されたくくり輪３を押し上げることでくくり輪３を筒状体４から外す構成となっているから、踏板を筒状体に対して同心状に下動させるもののように踏板６が筒状体４に引っ掛かったりする惧れがなく、踏板６の反延出部側の下動を確実かつ感度良く行うことができるとともに、くくり輪３は、延出部６ａの上動に伴い確実に筒状体４から外れることになる。この結果、くくり輪３の締め込み作動を、確実かつ感度良く行えることになって、踏板６を踏み込んだ動物を確実に捕獲できることになる。しかも、くくり輪３は踏板６の延出部６ａが上動しなければ筒状体４から外れない構成であるから、誤作動は発生しにくく、信頼性の高いくくり罠１とすることができる。
【００２４】
しかもこのものにおいて、前記筒状体４は円筒体であり、支点軸部材７は、筒状体４の切欠き溝４ａの幅中心を通る直径線に対して線対称状でかつ筒状体４の中心よりも切欠き溝４ａ側に設けられていて、踏板６を支点軸の軸方向に向けて幅広に支持する一方、踏板６の延出部６ａは、支点軸部材７に比して幅狭に形成されている。これにより、支点軸部材７を基準として反延出部側が下動し延出部６ａが上動する踏板６の可動を、安定した状態で行うことができるとともに、延出部６ａにはテコの原理が作用して筒状体４に外嵌されたくくり輪３をピンポイント状態で強力に押し上げることになり、よって、くくり輪３を締め込み側に付勢する弾機５の付勢力を強くしても、くくり輪３を確実かつ素早く押し上げて筒状体４から外すことができることになる。
【００２５】
さらに、前記くくり輪３の先端部には、ワイヤ２のくくり輪３との連続部位が移動自在に貫通する通し輪３ａが形成されているが、該通し輪３ａの内周側には、貫通方向中間部から両端側に至るほど大径となった筒形状の貫通部材９が取付けられている。そして、該貫通部材９によって、くくり輪３の締め込み時に通し輪３ａ内を移動するワイヤ２の摩擦を低減できて、くくり輪３の締め込みを可及的に迅速に行うことができることになるが、この場合に、貫通部材９は、線条体を螺旋状に曲げ加工して形成されていて、長時間弾機５の付勢力を受けても殆ど変形することなく筒形状を維持でき、よって、捕獲現場にくくり罠１をセットしてから長時間経ても、迅速なくくり輪３の締め込みを保証できることになる。しかも、貫通部材９の筒形状が貫通方向中間部から両端側に至るほど大径となっているから、貫通部材９を貫通したワイヤ２を何れの方向にもスムーズに湾曲させることかできる。
【００２６】
また、前記弾機５は、ワイヤ２に遊嵌状に外嵌するコイル弾機であるともに、ワイヤ２には、くくり輪３の締め付け力を調整するべくワイヤ２の基端側部位に位置調整自在に設けられていて弾機５の基端部を支持する基端側弾機支持部材１２と、弾機５の先端部を支持する先端側弾機支持部材１１とが共にワイヤ２に外嵌する状態で設けられており、これら先端側弾機支持部材１１および基端側弾機支持部材１２によって、ワイヤ２に外嵌する弾機５の先端部および基端部を支持できると共に、くくり輪３の締め付け力の調整を、基端側弾機支持部材１２の位置調整によって簡単に行うことができる。
【００２７】
さらに、前記先端側弾機支持部材１１は、捕獲現場にセットされた筒状体４に隣接する状態で縦姿勢にセットされるとともに、先端側弾機支持部材１１の先端部には、筒状体４に外嵌されたくくり輪３から連続するワイヤ２の向きを筒状体４に隣接する先端側弾機支持部材１１内に湾曲状にガイドするガイド部１１ａが形成されている。そして、該ガイド１１ａが先端側支持部材１１に形成されていることにより、筒状体４に外嵌されたくくり輪３から連続するワイヤ２を縦姿勢の先端側弾機支持部材１１に収まり良く収納できるとともに、縦姿勢の先端側弾機支持部材１１は、くくり輪３が踏板６の延出部６ａに押し上げられて筒状体４から外れるときに、該くくり輪３と共に素早く上動できることになる。
尚、本実施の形態では、先端側弾機支持部材１１は縦姿勢にセットされるようになっているが、捕獲現場の土質の状況等によっては縦姿勢にセットすることが困難な場合もあり、このような場合には先端側弾機支持部材１１を横姿勢、あるいは任意の角度の斜め姿勢にセットすることもできる。このように横姿勢、あるいは斜め姿勢にセットする場合であっても、ガイド部１１ａによって、筒状体４に外嵌されたくくり輪３から連続するワイヤ２を先端側弾機支持部材１１に収まり良く収納できる。
【００２８】
また、筒状体４の切欠き溝４ａに対向する部位には、前記先端側弾機支持部材１１のガイド部１１ａの先端側が臨む凹溝部４ｄが形成されている。これにより、筒状体４に隣接する状態でセットされる先端側弾機支持部材１１を、該先端側弾機支持部材１１の先端部が筒状体４に干渉しない状態でセットできることになる。
【００２９】
さらに、くくり罠１は、踏板６の反延出部側を下方から支持するととともに、動物の足が踏み込まれた負荷を踏板６を介して受けて破断する調整部材８を設けることができる構成となっており、該調整部材８によって、支点軸部材７を基準とする踏板６の下動の感度を調整することができる。これにより、捕獲する動物の種類等に応じて調整部材８を設けることで、踏板６の下動感度を簡単に調整できることになるが、この場合に、調整部材８自体の強度の変更、および／または本数を変更して破断強度の調整をすることで、踏板６の下動感度を細かく調整できる。
【産業上の利用可能性】
【００３０】
本考案は、猪、鹿、キョン等の野生動物を捕獲するため用いられるくくり罠に利用することができる。
【符号の説明】
【００３１】
１  くくり罠
２  ワイヤ
３  くくり輪
４  筒状体
４ａ  切欠き溝
４ｄ  凹溝部
５  弾機
６  踏板
６ａ  延出部
７  支点軸部材
８  調整部材
９  貫通部材
１０  締め付け防止金具
１１  先端側弾機支持部材
１１ａ  ガイド部
１２  基端側弾機支持部材
１５  ストッパ
【図１】
0003220691.tif 000003
【図２】
0003220691.tif 000004
【図３】
0003220691.tif 000005
【図４】
0003220691.tif 000006
【図５】
0003220691.tif 000007
【図６】
0003220691.tif 000008
【図７】
0003220691.tif 000009